(57)【要約】【課題】光源で発生する熱により導光板がベンディングされる場合、表示映像において局部的に輝度が低下することを防止できるようにしたディスプレイ装置を提供することにある。【解決手段】ディスプレイ装置及びバックライトユニットを提供する。このディスプレイ装置は、映像信号を受信する映像受信部と、映像受信部に受信される映像信号を処理する映像処理部と、映像処理部により処理される映像信号を映像として表示するディスプレイパネルと、ディスプレイパネルの分割された各ディスプレイ領域に光を出射する複数の導光板と、それぞれの導光板の側面に光を照射する光源モジュールと、を含み、光源モジュールは、導光板の側面に結合され、導光板のベンディングによる導光板の側面の位置変化に対応して光を導光板に照射するように設けられた複数の光源を含むことを特徴とする。【選択図】図３
2011096631.tif 000002
【特許請求の範囲】
【請求項１】
映像信号を受信する映像受信部と、
前記映像受信部に受信される映像信号を処理する映像処理部と、
前記映像処理部により処理される映像信号を映像として表示するディスプレイパネルと、
前記ディスプレイパネルの分割された各ディスプレイ領域に光を出射する複数の導光板と、
それぞれの前記導光板の側面に光を照射する光源モジュールと、
を含み、
前記光源モジュールは、
前記導光板の側面に結合され、前記導光板のベンディングによる前記導光板の側面の位置変化に対応して前記光を前記導光板に照射するように設けられた複数の光源を含むことを特徴とするディスプレイ装置。
【請求項２】
前記光源モジュールは、
前記導光板の側面に沿って直列配置された前記複数の光源が装着されるモジュール基板をさらに含むことを特徴とする、請求項１に記載のディスプレイ装置。
【請求項３】
前記モジュール基板は、前記導光板のベンディングによる前記複数の光源の位置変化に対応してベンディングされるようにフレキシブルな材質を含むことを特徴とする、請求項２に記載のディスプレイ装置。
【請求項４】
前記複数の光源は、前記導光板の側面に接着されることを特徴とする、請求項１に記載のディスプレイ装置。
【請求項５】
前記光源は、発光ダイオード素子を含むことを特徴とする、請求項１〜４のいずれか１項に記載のディスプレイ装置。
【請求項６】
ディスプレイパネルに光を供給するバックライトユニットであって、
ディスプレイパネルの分割された各ディスプレイ領域に光を出射する複数の導光板と、
それぞれの前記導光板の側面に光を照射する光源モジュールと、
を含み、
前記光源モジュールは、
前記導光板の側面に結合され、前記導光板のベンディングによる前記導光板の側面の位置変化に対応して前記光を前記導光板に照射するように設けられた複数の光源を含むことを特徴とするバックライトユニット。
【請求項７】
前記光源モジュールは、
前記導光板の側面に沿って直列配置された前記複数の光源が装着されるモジュール基板をさらに含むことを特徴とする、請求項６に記載のバックライトユニット。
【請求項８】
前記モジュール基板は、前記導光板のベンディングによる前記複数の光源の位置変化に対応してベンディングされるようにフレキシブルな材質を含むことを特徴とする、請求項７に記載のバックライトユニット。
【請求項９】
前記複数の光源は、前記導光板の側面に接着されることを特徴とする、請求項６に記載のバックライトユニット。
【請求項１０】
前記光源は、発光ダイオード素子を含むことを特徴とする、請求項６〜９のいずれか１項に記載のバックライトユニット。
【請求項１１】
ディスプレイパネルの光源ユニットであって、
前記ディスプレイパネルに対して実質的に平行に配置され、前記ディスプレイパネルの対応ディスプレイ領域に光を出力する導光板を含み、
前記導光板は、
前記ディスプレイパネルに実質的に平行に延在し、その底面及び前記ディスプレイパネルに光を出力する光照射面と、
前記光照射面及び前記底面に対して実質的に垂直であり、前記光照射面及び前記底面の間に前記導光板の長さ方向に延在する光入射面と、
前記導光板の前記光入射面に付着され、前記光入射面に光を入射させる複数の光源と、
を含むことを特徴とする光源ユニット。
【請求項１２】
前記底面に近接し、該底面に対して実質的に垂直に配置された基板をさらに含み、
前記複数の光源は、Ｘ軸方向に延在する基準線に沿ってそれぞれ配置されたことを特徴とする、請求項１１に記載の光源ユニット。
【請求項１３】
前記光入射面に付着された前記複数の光源の位置は、前記光照射面及び前記底面が、前記基準線に対してＺ軸方向にはずれる時、前記基準線に対して前記Ｚ軸方向に実質的に垂直にはずれることを特徴とする、請求項１２に記載の光源ユニット。
【請求項１４】
前記基板は、フレキシブルな材質を含み、前記光照射面及び前記底面が前記基準線に対して前記Ｚ軸方向にはずれる時、前記基準線に対して前記Ｚ軸方向に実質的に垂直に前記複数の光源と共にはずれることを特徴とする、請求項１３に記載の光源ユニット。
【発明の詳細な説明】
【技術分野】
【０００１】
本発明は、光源及び導光板によって映像表示のための光を供給するバックライトユニット及びこれを有するディスプレイ装置に係り、特に、光漏れ現象または局部的輝度低下現象を防止できるようにしたバックライトユニット及びこれを有するディスプレイ装置に関する。
【背景技術】
【０００２】
ＴＶ、モニタなどのようなディスプレイ装置は、映像を表示するディスプレイパネルを備えることによって、放送信号または様々なフォーマットの映像データを表示することができる。このようなディスプレイパネルは、液晶パネル、プラズマパネルなどの種々の形態とすることができ、各種ディスプレイ装置に適用されている。ここで、液晶パネルなどのようにパネル自体で光を生成できない場合、ディスプレイ装置は光をパネルに供給するバックライトユニットを備える。
【０００３】
このようなディスプレイ装置におけるバックライトユニットは、光を生成する光源として、一般的に採択されてきた従来の冷陰極蛍光ランプよりは、環境汚染、応答速度などの面において優れた特性を有する発光ダイオード素子を採択する場合が増えている。バックライトユニットは、このような光源の配置位置によって、直下型とエッジ型とに分類される。
【０００４】
直下型バックライトユニットは、光源が導光板の背面に沿って平行に配置されることによって、各光源が全面のパネルに光を直接投射する。エッジ型バックライトユニットは、光源が導光板のエッジに沿ってバー（bar）形態で配置され、光源からの光が導光板の側面に入射してパネルへと投射される構造である。エッジ型バックライトユニットは、導光板のエッジに光源が配置され、直下型に比べてディスプレイ装置のスリム化が容易なことから多く採用されている。
【発明の概要】
【発明が解決しようとする課題】
【０００５】
本発明の目的は、光源で発生する熱により導光板がベンディングされる場合、表示映像において局部的に輝度が低下することを防止できるようにしたディスプレイ装置を提供することにある。
【課題を解決するための手段】
【０００６】
本発明の実施例に係るディスプレイ装置は、映像信号を受信する映像受信部と、前記映像受信部に受信される映像信号を処理する映像処理部と、前記映像処理部により処理される映像信号を映像として表示するディスプレイパネルと、前記ディスプレイパネルの分割された各ディスプレイ領域に光を出射する複数の導光板と、それぞれの前記導光板の側面に光を照射する光源モジュールと、を含み、前記光源モジュールは、前記導光板の側面に結合され、前記導光板のベンディングによる前記導光板の側面の位置変化に対応して前記光を前記導光板に照射するように設けられた複数の光源を含むことを特徴とする。
【０００７】
ここで、前記光源モジュールは、前記導光板の側面に沿って直列配置された前記複数の光源が装着されるモジュール基板をさらに含むことができる。
【０００８】
ここで、前記モジュール基板は、前記導光板のベンディングによる前記複数の光源の位置変化に対応してベンディングされるようにフレキシブルな材質を含むことができる。
【０００９】
前記複数の光源は、前記導光板の側面に接着されることができる。
【００１０】
前記光源は、発光ダイオード素子を含むことができる。
また、本発明の実施例によるディスプレイパネルに光を供給するバックライトユニットは、ディスプレイパネルの分割された各ディスプレイ領域に光を出射する複数の導光板と、それぞれの前記導光板の側面に光を照射する光源モジュールと、を含み、前記光源モジュールは、前記導光板の側面に結合され、前記導光板のベンディングによる前記導光板の側面の位置変化に対応して前記光を前記導光板に照射するように設けられた複数の光源を含むことができる。
【００１１】
ここで、前記光源モジュールは、前記導光板の側面に沿って直列配置された前記複数の光源が装着されるモジュール基板をさらに含むことができる。
【００１２】
ここで、前記モジュール基板は、前記導光板のベンディングによる前記複数の光源の位置変化に対応してベンディングされるようにフレキシブルな材質を含むことができる。
【００１３】
また、前記複数の光源は、前記導光板の側面に接着されることができる。
【００１４】
前記光源は、発光ダイオード素子を含むことができる。
【００１５】
また、本発明の実施例に係るディスプレイパネルの光源ユニットは、前記ディスプレイパネルに対して実質的に平行に配置され、前記ディスプレイパネルの対応ディスプレイ領域に光を出力する導光板を含み、前記導光板は、前記ディスプレイパネルに実質的に平行に延在し、その底面及び前記ディスプレイパネルに光を出力する光照射面と、前記光照射面及び前記底面に対して実質的に垂直であり、前記光照射面及び前記底面の間に前記導光板の長さ方向に延在する光入射面と、前記導光板の前記光入射面に付着され、前記光入射面に光を入射させる複数の光源と、を含むことを特徴とする。
【００１６】
上記光源ユニットは、前記底面に近接し、該底面に対して実質的に垂直に配置された基板をさらに含み、前記複数の光源は、Ｘ軸方向に延在する基準線に沿ってそれぞれ配置されることができる。
【００１７】
ここで、前記光入射面に付着された前記複数の光源の位置は、前記光照射面及び前記底面が、前記基準線に対してＺ軸方向にはずれる時、前記基準線に対して前記Ｚ軸方向に実質的に垂直にはずれることができる。
【００１８】
ここで、前記基板は、フレキシブルな材質を含み、前記光照射面及び前記底面が前記基準線に対して前記Ｚ軸方向にはずれる時、前記基準線に対して前記Ｚ軸方向に実質的に垂直に前記複数の光源と共にはずれることができる。
【発明の効果】
【００１９】
本発明によれば、複数の光源を光の入射する導光板の側面に結合させて、各光源が導光板のベンディングに対応して光を導光板に照射できるようにすることによって、映像輝度の局部的低下を防止し、映像品質を保障することができる。
【図面の簡単な説明】
【００２０】
【図１】本発明の実施例によるディスプレイ装置の構成ブロック図である。
【図２】図１に示すディスプレイ装置の分解斜視図である。
【図３】図２におけるディスプレイ装置で導光板及び光源モジュールを示す要部斜視図である。
【図４】図３に示す導光板及び光源モジュールの平面図である。
【図５】図２のディスプレイ装置で導光板のベンディングによる光入射面と光源との配置関係を示す側断面図である。
【発明を実施するための形態】
【００２１】
以下、添付の図面を参照しつつ、本発明について詳細に説明する。以下の実施例では、本発明の思想と直接関連する構成についてのみ説明し、その他の構成については適宜説明を省略する。ただし、このように説明を省いた構成が、本発明の思想が適用されたディスプレイ装置１の具現において不要であるということを意味するわけではないことは明らかである。
図１は、本発明の実施例によるディスプレイ装置１の構成ブロック図である。
同図で、実線は、映像信号または制御信号の伝達を表し、点線は、光の伝達を表す。
図１に示すように、本実施例によるディスプレイ装置１は、放送信号などの映像信号を受信する映像受信部１０と、映像受信部１０に受信される映像信号を処理する映像処理部２０と、映像処理部２０により処理される映像信号を映像として表示するディスプレイパネル３０と、ディスプレイパネル３０に映像が表示されるように光を供給するバックライトユニット４０と、を含む。
【００２２】
映像受信部１０は、次のように様々な規格を有することができる。例えば、ディスプレイ装置１をＴＶとする場合、映像受信部１０は、放送局（図示せず）から送出されるＲＦ（radio frequency）信号を無線で受信したり、または、コンポジット（composite）ビデオ、コンポーネント（component）ビデオ、スーパービデオ（super video）、ＳＣＡＲＴ、ＨＤＭＩ（high definition multimedia interface）規格などに基づく映像信号を受信したりすることができる。一方、ディスプレイ装置１をコンピュータモニタとする場合、映像受信部１０は、ＶＧＡ方式によるＲＧＢ信号を伝達可能なＤ−ＳＵＢや、ＤＶＩ（digital video interactive）、ＨＤＭＩ規格などの映像信号を受信するように具現することができる。
【００２３】
映像処理部２０は、映像受信部１０から伝達される映像信号に、予め設定された様々な映像処理プロセスを行う。映像処理部２０が行う映像処理プロセスの種類は特に限定されないが、例えば、様々な映像フォーマットに対応するデコーディング（decoding）及びエンコーディング（encoding）、デインターレーシング（de-interlacing）、フレームリフレッシュレート（frame refresh rate）変換、スケーリング（scaling）、映像画質改善のためのノイズ減少（noise reduction）、ディテールエンハンスメント（detail enhancement）などを含むことができる。
【００２４】
映像処理部２０は、このような各プロセスをそれぞれ行うことのできる個別の構成としても良く、様々な機能を統合した一体型の構成としても良い。
【００２５】
映像処理部２０は、バックライトユニット４０が、例えば、ローカル調光（local dimming）を具現しようとする場合、それに対応する映像データをバックライトユニット４０に伝達する。すると、バックライトユニット４０は、映像処理部２０から受信した映像データに基づいて、後述する複数の光源２１０を別々にまたは既に設定されたグループ別に輝度を調節することによってローカル調光を具現することができる。
【００２６】
以下、ディスプレイパネル３０及びバックライトユニット４０の構成について、図２を参照して説明する。図２は、ディスプレイ装置１の分解斜視図である。
【００２７】
まず、図面上の各方向について説明する。Ｘ、Ｙ、Ｚ方向は、基本的に、それぞれ横、縦及び高さを表す。ディスプレイパネル３０は、Ｘ−Ｙ平面上に配置され、バックライトユニット４０及びディスプレイパネル３０がＺ方向に沿って積層するように配置される。以下、各図面及び実施例では、このように定義された方向に基づいて説明する。ここで、Ｘ、Ｙ、Ｚ方向の反対方向はそれぞれ、−Ｘ、−Ｙ、−Ｚ方向で表し、Ｘ−Ｙ平面は、Ｘ方向の軸及びＹ方向の軸により形成される平面を意味する。
【００２８】
上カバー５０及び下カバー６０は互いに収容空間を形成し、この収容空間内に、ディスプレイパネル３０及びバックライトユニット４０を収容する。上カバー５０の天板面には、ディスプレイパネル３０のディスプレイ領域が露出されるように開口部を形成する。
【００２９】
ディスプレイパネル３０は、本実施例では液晶パネルとする。ディスプレイパネル３０は、２枚の基板（図示せず）の間に液晶層（図示せず）が充填されてなるもので、駆動信号が印加されることで、この液晶層（図示せず）の配列を調整することによって映像を表示する。ディスプレイパネル３０は、自発光せず、ディスプレイ領域に映像を表示するためにバックライトユニット４０から光を受ける。ここで、ディスプレイ領域は、ディスプレイパネル３０においてＸ−Ｙ平面と平行であり且つ映像が表示される領域を意味する。
【００３０】
ディスプレイパネル３０は、図示せぬ駆動回路基板を有し、この駆動回路基板から駆動信号が印加されると、ディスプレイパネル３０中の液晶（図示せず）が所定角度で回転する。これにより、ディスプレイパネル３０のディスプレイ領域を構成する各セル（図示せず）単位で光の透過特性が異なってくることから、ディスプレイ領域に映像が表示されることとなる。
【００３１】
バックライトユニット４０は、ディスプレイパネル３０に光を供給するように、ディスプレイパネル３０の背面に配置される。バックライトユニット４０は、ディスプレイパネル３０のディスプレイ領域へ光を出射する複数の導光板１００と、光を生成して複数の導光板１００に入射させる複数の光源モジュール２００と、複数の導光板１００の背面に設けられて、光をディスプレイパネル３０の方向に反射する反射部材３００と、複数の導光板１００から出射される光の特性を調整する光学シート類４００と、を含む。
【００３２】
導光板１００は、アクリル射出物などからなるプラスチック成形レンズで、光源モジュール２００から入射する光を、ディスプレイパネル３０の全体ディスプレイ領域に均一に伝達する役割を担う。図２では、各導光板１００がＸ方向に延在する長方形の形状を有し、Ｙ方向に整列されているが、これらの個数、形状、延在方向、配置関係などが本発明の思想を限定することはない。
【００３３】
導光板１００は、表面上に光透過パターンを形成することによって、導光板１００から出射される光の均一性を向上させ、出射光量を調節することができる。すなわち、光透過パターンをどのように形成するかによって、各導光板１００から出射される光量を異ならせることができる。
【００３４】
導光板１００には、複数個の導光板締付穴１０１が相互に離隔して形成される。導光板締付穴１０１は、ディスプレイ装置１の組み立て時に、反射部材３００に形成された反射部材締付穴３０１及び下カバー６０に形成された下カバー締付穴６１とスクリュー８０にて結合することができる。これで、導光板１００及び反射部材３００が下カバー６０に支持される。
【００３５】
光源モジュール２００は、ディスプレイパネル３０に提供するための光を生成するもので、生成した光が各導光板１００へ入射するように複数個が各導光板１００の側面に配置される。すなわち、複数の光源モジュール２００は、複数の導光板１００と同様に、Ｘ方向に沿って延在する。
【００３６】
光源モジュール２００で生成された光は、Ｘ−Ｙ平面に平行な方向に各導光板１００に入射した後、各導光板１００からＺ方向に出射され、ディスプレイパネル３０に入射する。これによって、ディスプレイパネル３０は、Ｘ−Ｙ平面に平行なディスプレイ領域上に映像を形成することが可能になる。
【００３７】
以下、本実施例による導光板１００及び光源モジュール２００の構成について図３及び図４を参照して説明する。図３は、導光板１００及び光源モジュール２００の要部斜視図であり、図４は、図３の導光板１００及び光源モジュール２００を−Ｚ方向から見た要部平面図である。ここで、図３では、本実施例をより明確に示すように、導光板１００間の離隔間隔をより大きく図示している。
【００３８】
図３及び図４に示すように、導光板１００は、長い長方形を有し、光Ｌが出射される光出射面１１０と、光源モジュール２００から光Ｌが入射する光入射面１２０と、を有する。
【００３９】
光出射面１１０は、ディスプレイパネル３０の背面と対向する導光板１００の天板面であり、Ｘ−Ｙ平面上に位置する。すなわち、光出射面１１０は、ディスプレイパネル３０と平行である。導光板１００に入射した光は、光出射面１１０から光学シート類４００及びディスプレイパネル３０に出射される。
【００４０】
光入射面１２０は、導光板１００の側面であり、光出射面１１０に直交してＸ−Ｚ平面上に位置する。光入射面１２０は、光源モジュール２００からの光が入射し、このような入射光Ｌは、導光板１００内部を通過して光出射面１１０から出射される。
【００４１】
光源モジュール２００は、導光板１００の光入射面１２０に沿ってＸ方向に直列配置された複数の光源２１０と、この複数の光源２１０が装着されるモジュール基板２２０と、を含む。
【００４２】
光源２１０は、本実施例では、発光ダイオード素子（light-emitting diode、ＬＥＤ）とし、モジュール基板２２０から駆動電源及び点滅制御信号を受け取る。光源２１０は、モジュール基板２２０に装着される形態によって発光方向を調節することができる。本実施例では、光Ｌの照射方向が光入射面１２０に向かうＹ方向となるように、光源２１０がモジュール基板２２０に装着される。
【００４３】
一つのモジュール基板２２０に装着される光源２１０は、青色ＬＥＤ、緑色ＬＥＤ及び赤色ＬＥＤを含むことができ、各カラーのＬＥＤから放出される青色光、緑色光及び赤色光が互いに混合されることによって、優れたカラー再現性を有する白色光を形成することができる。ただし、これは、一実施例に過ぎず、光源２１０は、白色光を直接生成する白色ＬＥＤを含むこともできる。
【００４４】
光源２１０は、光Ｌの他に熱も生成するが、このような熱によって導光板１００が物理的に歪むことがある。もちろん、ディスプレイ装置１の内部で発生する熱を、光源２１０によるものと限定することはできない。
【００４５】
導光板１００はスクリュー８０にて支持されるが、導光板１００に伝達される熱が臨界値を超えると、スクリュー８０にて支持されていない導光板１００の一領域がベンディング（bending）されてしまう。
【００４６】
このような導光板１００のベンディングが発生すると、光入射面１２０の位置が変化する。この場合、もし、各光源２１０が本来の位置を維持しているとすれば、導光板１００におけるベンディングの発生した領域の光入射面１２０は、光源２１０からの光Ｌの照射位置から所定間隔外れることになり、そのため、光源２１０からの一部光Ｌが光入射面１２０に入射せず、導光板１００のベンディングされた下板面へ漏れる現象が生じうる。
【００４７】
そのため、光出射面１１０の全体からは、出射光量が局部的に低下する領域が発生し、この領域に対応するディスプレイパネル３０のディスプレイ領域では映像の輝度が局部的に低下する。
【００４８】
そこで、本実施例では、複数の光源２１０を接着剤などにより導光板１００の側面、すなわち、光入射面１２０に結合させ、これにより、各光源２１０は、導光板１００のベンディングによる光入射面１２０の位置変化に対応して光Ｌを導光板１００に照射することができる。その結果、映像輝度の局部的低下を防止し、映像品質を保障することが可能になる。
【００４９】
以下、光入射面１２０の位置に従って、光源２１０から照射される光が導光板１００に入射する例を、図５を参照して説明する。図５は、導光板１００のベンディングによる光入射面１２０と光源２１０との配置関係を示す側断面図である。
【００５０】
図５Ａは、導光板１００がベンディングされていない場合を示す。光入射面１２０は、Ｘ方向に平行な所定の基準線Ｒに沿って延在する。各光源２１０は、光入射面１２０に沿ってモジュール基板２２０上に配置され、光源２１０から照射される光は光入射面１２０に入射して光出射面１１０からＺ方向に出射される。
【００５１】
この場合、各光源２１０から光入射面１２０に入射する光量は、各光源２１０別に同一なので、光出射面１１０から出射される光量は、光出射面１１０全体として均一になる。したがって、この場合、ディスプレイパネル３０のディスプレイ領域には局部的な輝度低下が発生しない。
【００５２】
図５Ｂには、光源２１０ａが光入射面１２０ａに結合されていない場合に、導光板１００ａが光源２１０ａの熱によりベンディングされた様子を示す。導光板１００ａが基準線Ｒに対してベンディング幅Ｂをもってベンディングされることから、光入射面１２０ａの一部領域は基準線Ｒから移動する。
【００５３】
ここで、光源２１０ａが光入射面１２０ａに結合されていないと、基準線Ｒに対して位置の変化した光入射面１２０ａの一領域に対する光源２１０ａの相対的な位置がずれることになる。このため、光源２１０ａから照射された光は、少なくとも一部が光入射面１２０ａに入射せず、導光板１００ａの下板面の下に漏れてしまう。
【００５４】
すなわち、このような光入射面１２０ａの領域への入射光量は、図５Ａの場合に比べて低下し、このため、光出射面１１０ａから出射される光量が局部的に低下し、ディスプレイ領域において局部的に輝度低下が発生する問題がありうる。
【００５５】
そこで、本実施例では、図５Ｃのようにして上記の問題を防止する。
【００５６】
図５Ｃは、本実施例によって各光源２１０を光入射面１２０に結合させた場合に、導光板１００がベンディングされた様子を示す図である。
【００５７】
導光板１００が所定のベンディング幅Ｂだけ基準線Ｒからベンディングされると、これによって光入射面１２０も位置が変化する。そして、各光源２１０は、光入射面１２０に結合されているので、各光源２１０は、結合されている光入射面１２０の位置変化に対応してその位置がそれぞれ変化するように移動する。
【００５８】
ここで、各光源２１０が装着されたモジュール基板２２０は、フレキシブルな材質を含むことで、各光源２１０の個別の位置変化に対応してベンディングされることができる。
【００５９】
このように、導光板１００のベンディング時に、光入射面１２０の位置変化に対応して各光源２１０の位置も変化することによって、光入射面１２０と光源２１０との相対的位置関係は維持される。したがって、各光源２１０から光入射面１２０に入射する光量は、図５Ａの場合に比べて低下することなく実質的に同一である。
【００６０】
したがって、導光板１００がベンディングされてもディスプレイパネル３０のディスプレイ領域には局部的な輝度低下が発生しない。
【００６１】
このように、本発明の実施例によれば、複数の導光板１００及び各導光板１００の側面に配置される複数の光源２１０を含むディスプレイ装置１のバックライトユニット４０において、各光源２１０を導光板１００の側面に結合させることによって、導光板１００のベンディング時にもディスプレイパネル３０に表示される映像の局部的輝度低下を防止することができる。
【００６２】
上記の実施例は例示的なものに過ぎず、当該技術分野における通常の知識を有する者には、様々な変形及び均等な他の実施例が可能である。したがって、本発明の真の技術的保護範囲は、下記の特許請求の範囲に記載された発明の技術的思想により定められるべきである。
【符号の説明】
【００６３】
１        ディスプレイ装置
３０      ディスプレイパネル
４０      バックライトユニット
１００    導光板
１１０    光出射面
１２０    光入射面
２００    光源モジュール
２１０    光源
２２０    モジュール基板
３００    反射部材
４００    光学シート類
【図１】
2011096631.tif 000003
【図２】
2011096631.tif 000004
【図３】
2011096631.tif 000005
【図４】
2011096631.tif 000006
【図５】
2011096631.tif 000007